(57)【要約】【課題】所望のアプリを予め設定された時間、動作させるために必要な電源残量を予め確保しておくことのできる携帯端末装置を提供すること【解決手段】電源監視手段７１は、計時手段６０がアプリ予約設定で設定された日時を経過するまで、アプリ予約設定されたときに記憶されている電源消費予定量と、電源手段３０の電源残量とに基づいて、表示手段２０の輝度設定、鳴動手段５０の再生方式設定及び通信手段８０の通信制御を行うことにより、電源手段３０の電源消費を低減させ、所望のアプリを予め設定された時間、動作させるために必要な電源残量を予め確保する。【選択図】図１
2007058262.tif 000002
【特許請求の範囲】
【請求項１】
複数のアプリケーションを備えた携帯端末装置であって、
日時を計時する計時手段と、
電力の供給を行う電源手段と、
前記アプリケーションの電源消費量を記憶する記憶手段と、
予め設定されたアプリケーションの動作予定時間と、前記電源消費量とに基づいて電源消費予定量を算出すると共に、前記電源手段の電源残量を取得する電源監視手段とを有しており、
前記電源監視手段は、前記計時手段の計時する日時が予め設定された日時を経過するまで、前記電源残量のうち、前記電源消費予定量を確保するように制御することを特徴とする携帯端末装置。
【請求項２】
各種情報を表示する表示手段を有し、
前記電源監視手段は、前記電源消費予定量を確保した場合の電源残量と、予め設定されたアプリケーションの前記電源消費量とに基づいて、前記アプリケーションの動作可能時間を算出し、前記表示手段に前記動作可能時間を表示させることを特徴とする請求項１記載の携帯端末装置。
【請求項３】
前記電源監視手段は、前記計時手段の計時する日時が予め設定された日時を経過するまで、前記電源手段の給電を停止させ、前記電源残量のうち、前記電源消費予定量を確保するように制御することを特徴とする請求項１記載の携帯端末装置。
【請求項４】
前記電源監視手段は、前記計時手段の計時する日時が予め設定された日時を経過するまで、前記アプリケーションの動作を制限し、前記電源残量のうち、前記電源消費予定量を確保するように制御することを特徴とする請求項１記載の携帯端末装置。
【請求項５】
外部とネットワークを介して通信を行う通信手段を有し、
前記電源監視手段は、前記計時手段の計時する日時が予め設定された日時を経過するまで、前記通信手段による通信を停止させ、前記電池残量のうち、前記電源消費予定量を確保するように制御することを特徴とする請求項１記載の携帯端末装置。
【請求項６】
日時を計時する計時ステップと、
電力の供給を行う電源の残量を取得する電源残量取得ステップと、
予め設定されたアプリケーションの動作予定時間と、前記アプリケーションの電源消費量とに基づいて電源消費予定量を算出する算出ステップと、
前記計時ステップで計時する日時が予め設定された日時を経過するまで、前記電源残量取得ステップにて取得した前記電源残量のうち、前記電源消費予定量を確保するように制御する制御ステップとを有することを特徴とする情報処理方法。
【請求項７】
各種情報を表示する表示ステップを有し、
前記制御ステップは、前記電源消費予定量を確保した場合の電源残量と、予め設定されたアプリケーションの前記電源消費量とに基づいて、前記アプリケーションの動作可能時間を算出し、前記表示ステップにて前記動作可能時間を表示させることを特徴とする請求項６記載の情報処理方法。
【請求項８】
前記制御ステップは、前記計時ステップで計時する日時が予め設定された日時を経過するまで、前記電源からの給電を停止させ、前記電源残量のうち、前記電源消費予定量を確保するように制御することを特徴とする請求項６記載の情報処理方法。
【請求項９】
前記制御ステップは、前記計時ステップで計時する日時が予め設定された日時を経過するまで、前記アプリケーションの動作を制限し、前記電池残量のうち、前記電源消費予定量を確保するように制御することを特徴とする請求項６記載の情報処理方法。
【請求項１０】
外部とネットワークを介して通信を行う通信ステップを有し、
前記制御ステップは、前記計時ステップで計時する日時が予め設定された日時を経過するまで、前記通信ステップによる通信を停止させ、前記電池残量のうち、前記電源消費予定量を確保するように制御することを特徴とする請求項６記載の情報処理方法。
【発明の詳細な説明】
【技術分野】
【０００１】
本発明は、アプリケーションを動作させるための電源残量を予め確保しておくことのできる携帯端末装置及び情報処理方法に関するものである。
【背景技術】
【０００２】
近年、ＰＤＡや携帯電話機等の携帯端末装置は、アドレス帳やカレンダー等のアプリケーション（以下、アプリという）に加えて、ゲーム、音楽再生又は動画再生等を行うアプリが搭載され、ゲーム機、ミュージックプレイヤ又はテレビ等として広く利用されている。
【０００３】
こうしたなか、ゲーム、音楽再生又は動画再生等を行うアプリは、一般的に長時間動作することが要求される一方、アドレス帳やカレンダー等のアプリに比べて、電源消費量が多いことがよく知られている。
【０００４】
従来の携帯端末装置は、バッテリの残量を正確に認識し、更に、アプリ毎の電源消費量を予め保存しておくことで、アプリ毎の実行可能な残時間を表示している。また、従来の携帯端末装置は、アプリの起動時に、そのアプリの処理方法を変更することによって実行可能な残時間を延長することができる旨の選択肢をユーザに提供している。（例えば、特許文献１参照）。
【特許文献１】特開２００５−８０３８５号公報
【発明の開示】
【発明が解決しようとする課題】
【０００５】
しかしながら、従来の携帯端末装置は、所望のアプリの起動時に、ユーザが設定した時間分の動作を行うため、そのアプリの処理方法を変更している。すなわち、テレビ受信の場合、ユーザが指定した時間分の視聴を可能にするために、デコード方法を変更して、画質を低く抑えている。そのため、高画質を保ったまま番組を視聴することができないといった課題があった。
本発明は、従来の問題を解決するためになされたもので、所望のアプリの処理方法を変更することなく、アプリを動作させるための電源残量を予め確保しておくことのできる携帯端末装置及び情報処理方法を提供することを目的とする。
【課題を解決するための手段】
【０００６】
本発明の携帯端末装置は、複数のアプリケーションを備えた携帯端末装置であって、日時を計時する計時手段と、電力の供給を行う電源手段と、前記アプリケーションの電源消費量を記憶する記憶手段と、予め設定されたアプリケーションの動作予定時間と、前記電源消費量とに基づいて電源消費予定量を算出すると共に、前記電源手段の電源残量を取得する電源監視手段とを有しており、前記電源監視手段が、前記計時手段の計時する日時が予め設定された日時を経過するまで、前記電源残量のうち、前記電源消費予定量を確保するように制御する構成を有する。
【０００７】
この構成により、電源残量のうち、所望のアプリケーションを予め設定された時間、動作させるために必要な電源消費予定量を予め確保することができ、例えば、テレビアプリケーションの視聴途中で電源残量が無くなって、所望の番組を最後まで視聴することができなくなることを防ぐことができる。
【０００８】
また、本発明の携帯端末装置は、各種情報を表示する表示手段を有し、前記電源監視手段が、前記電源消費予定量を確保した場合の電源残量と、予め設定されたアプリケーションの前記電源消費量とに基づいて、前記アプリケーションの動作可能時間を算出し、前記表示手段に前記動作可能時間を表示させる構成を有する。
【０００９】
この構成により、電源残量のうち、所望のアプリケーションを動作させるために必要な電源消費予定量を予め確保した場合に、他のアプリケーションが残りの電源残量で何時間動作するのかを表示する。例えば、テレビアプリケーションの視聴後に、音声通話を行う予定がある場合、音声通話の動作可能時間を予め把握しながら、テレビアプリの視聴時間を設定することができる。
【００１０】
また、本発明の携帯端末装置は、前記電源監視手段が、前記計時手段の計時する日時が予め設定された日時を経過するまで、前記電源手段の給電を停止させ、前記電源残量のうち、前記電源消費予定量を確保するように制御する構成を有する。
【００１１】
この構成により、電源残量のうち、所望のアプリケーションを予め設定された時間、動作させるために必要な電源消費予定量を予め確保することができ、例えば、テレビアプリケーションの視聴途中で電源残量が無くなって、所望の番組を最後まで視聴することができなくなることを防ぐことができる。
【００１２】
また、本発明の携帯端末装置は、前記電源監視手段が、前記計時手段の計時する日時が予め設定された日時を経過するまで、前記アプリケーションの動作を制限し、前記電源残量のうち、前記電源消費予定量を確保するように制御する構成を有する。
【００１３】
この構成により、アプリケーションにおける表示や鳴動等の動作を制限することで、電源消費を低減し、電源残量のうち、所望のアプリケーションを動作させるために必要な電源消費予定量を予め確保することができる。
【００１４】
また、本発明の携帯端末装置は、外部とネットワークを介して通信を行う通信手段を有し、前記電源監視手段が、前記計時手段の計時する日時が予め設定された日時を経過するまで、前記通信手段による通信を停止させ、前記電池残量のうち、前記電源消費予定量を確保するように制御する構成を有する。
【００１５】
この構成により、ネットワークとの通信によって生じる電源消費を低減することができるため、電源残量のうち、所望のアプリケーションを動作させるために必要な電源消費予定量を予め確保することができる。
【００１６】
また、本発明の情報処理方法は、日時を計時する計時ステップと、電力の供給を行う電源の残量を取得する電源残量取得ステップと、予め設定されたアプリケーションの動作予定時間と、前記アプリケーションの電源消費量とに基づいて電源消費予定量を算出する算出ステップと、前記計時ステップで計時する日時が予め設定された日時を経過するまで、前記電源残量取得ステップにて取得した前記電源残量のうち、前記電源消費予定量を確保するように制御する制御ステップとを有する。
【００１７】
この方法により、電源残量のうち、所望のアプリケーションを予め設定された時間、動作させるために必要な電源消費予定量を予め確保することができ、例えば、テレビアプリケーションの視聴途中で電源残量が無くなって、所望の番組を最後まで視聴することができなくなることを防ぐことができる。
【００１８】
また、本発明の情報処理方法は、各種情報を表示する表示ステップを有し、前記制御ステップが、前記電源消費予定量を確保した場合の電源残量と、予め設定されたアプリケーションの前記電源消費量とに基づいて、前記アプリケーションの動作可能時間を算出し、前記表示ステップにて前記動作可能時間を表示させる。
この方法により、電源残量のうち、所望のアプリケーションを動作させるために必要な電源消費予定量を予め確保した場合に、他のアプリケーションが残りの電源残量で何時間動作するのかを表示する。例えば、テレビアプリケーションの視聴後に、音声通話を行う予定がある場合、音声通話の動作可能時間を予め把握しながら、テレビアプリの視聴時間を設定することができる。
【００１９】
また、本発明の情報処理方法は、前記制御ステップが、前記計時ステップで計時する日時が予め設定された日時を経過するまで、前記電源からの給電を停止させ、前記電源残量のうち、前記電源消費予定量を確保するように制御する。
【００２０】
この方法により、電源残量のうち、所望のアプリケーションを予め設定された時間、動作させるために必要な電源消費予定量を予め確保することができ、例えば、テレビアプリケーションの視聴途中で電源残量が無くなって、所望の番組を最後まで視聴することができなくなることを防ぐことができる。
【００２１】
また、本発明の情報処理方法は、前記制御ステップが、前記計時ステップで計時する日時が予め設定された日時を経過するまで、前記アプリケーションの動作を制限し、前記電池残量のうち、前記電源消費予定量を確保するように制御する。
この方法により、アプリケーションにおける表示や鳴動等の動作を制限することで、電源消費を低減し、電源残量のうち、所望のアプリケーションを動作させるために必要な電源消費予定量を予め確保することができる。
【００２２】
また、本発明の情報処理方法は、外部とネットワークを介して通信を行う通信ステップを有し、前記制御ステップが、前記計時ステップで計時する日時が予め設定された日時を経過するまで、前記通信ステップによる通信を停止させ、前記電池残量のうち、前記電源消費予定量を確保するように制御する。
【００２３】
この方法により、ネットワークとの通信によって生じる電源消費を低減することができるため、電源残量のうち、所望のアプリケーションを動作させるために必要な電源消費予定量を予め確保することができる。
【発明の効果】
【００２４】
本発明は、所望のアプリケーションを予め設定された時間、動作させるために必要な電源残量を予め確保しておくことができるものである。
【発明を実施するための最良の形態】
【００２５】
以下、本発明の実施の形態について、図面を用いて説明する。
【００２６】
（実施の形態１）
本発明の実施の形態１は、携帯端末装置が携帯電話機である場合を例にして説明する。
図２は、本発明の実施の形態１における携帯電話機１の概略構成を示すブロック図である。
携帯電話機１は、図示されているように、入力手段１０、表示手段２０、電源手段３０、記憶手段４０、鳴動手段５０、計時手段６０及び制御手段７０から構成されている。
入力手段１０は、例えば、ユーザが操作する入力キー群であり、各種アプリの起動や、アプリ動作中に所望の操作を行うために用いられる。入力手段１０は、外部からの入力動作によって得られる各種情報を入力信号として制御手段７０へ送信する。
表示手段２０は、例えば、各種情報を表示するディスプレイであり、制御手段７０から表示信号を受信すると、表示信号の内容に従って表示を行う。
電源手段３０は、各部に電力を供給しており、制御手段７０から電源残量取得信号を受信すると、電源残量情報を示す内容を電源残量結果信号として制御手段７０に対して送信する。
記憶手段４０は、各種アプリの電源消費量を記憶しており、制御手段７０からアプリを指定した読出信号を受信すると、指定されたアプリの電源消費量を示す読出結果信号を制御手段７０に対して送信する。
鳴動手段５０は、例えば、音声や音楽等を出力するスピーカーであり、制御手段７０から鳴動信号を受信すると、鳴動信号の内容に従って鳴動を行う。
計時手段６０は、日時を計時しており、制御手段７０から日時取得信号を受信すると、現在日時を日時結果信号として制御手段７０に送信する。
制御手段７０は、上記の各手段と各種信号の送受信を行い、携帯電話機１の制御を行う。
図１は、本発明の実施の形態１における携帯電話機１の詳細構成を示すブロック図である。図１において、図２と同じ部分には同じ参照符号を付してある。また、図２と同様の構成については説明を省略する。
制御手段７０は、図示されているように、電源監視手段７１、表示制御手段７２、電源制御手段７３、鳴動制御手段７４及び日時取得手段７５から構成されている。
電源監視手段７１は、表示制御手段７２に対して、表示手段２０に表示したい内容を示す表示情報や、表示手段２０の輝度情報を含む表示信号を送信することで表示制御を行う。
また、電源監視手段７１は、電源制御手段７３に対して、電源残量取得信号を送信し、電源残量情報を電源残量結果信号として受信することで、電源手段３０の電源残量を把握することができる。
さらに、電源監視手段７１は、電源制御手段７３に対して、給電停止信号を送信することにより、電源手段３０の給電を停止させることができる。
さらに、電源監視手段７１は、鳴動制御手段７４に対して、鳴動手段５０から出力したい内容を示す音声情報又は音楽情報や、ステレオ又はモノラル等の再生方式に関する情報（以下、再生方式情報という）を含む鳴動信号を送信することで鳴動制御を行う。
さらに、電源監視手段７１は、日時取得手段７５に対して、日時取得信号を送信することで、計時手段６０が計時する現在日時情報を日時結果信号として受信する。
さらに、電源監視手段７１は、表示や鳴動等の動作が制限されているか否かを示す動作制限フラグを有している。動作制限フラグは、動作が制限されているとき、１に設定されており、制限されていないとき、０に設定される。初期状態は、動作が制限されていないことを示す０が設定されている。
表示制御手段７２は、電源監視手段７１から表示信号を受信すると、表示信号に含まれる表示情報や輝度情報に従って、表示手段２０に対して、表示信号を送信する。ここで、輝度情報には、高輝度表示、標準輝度表示又は低輝度表示を設定できるものとする。また、表示手段２０が複数ある場合には、それぞれの表示手段２０に表示情報と輝度情報を含む表示信号を送信することにより、第１の表示手段２０のみ、低輝度表示に設定すること等ができるものとする。
電源制御手段７３は、電源監視手段７１から電源残量取得信号を受信すると、電源手段３０に対して、電源残量取得信号を送信し、電源残量情報を取得する。また、取得した電源残量情報を電源残量結果信号として、電源監視手段７１に送信する。さらに、電源制御手段７３は、電源監視手段７１から給電停止信号を受信すると、電源手段３０の給電を停止させる。
鳴動制御手段７４は、電源監視手段７１から鳴動信号を受信すると、鳴動信号に含まれる音声情報又は音楽情報や、再生方式情報に従って、鳴動手段５０に対して鳴動信号を送信する。ここで、再生方式情報には、ステレオ又はモノラルを設定できるものとする。
日時取得手段７５は、電源監視手段７１から日時取得信号を受信すると、計時手段６０に対して、日時取得信号を送信して、現在日時情報を取得する。また、取得した現在日時を日時結果信号として、電源監視手段７１に対して送信する。
【００２７】
図３は、記憶手段４０に予め記憶されているアプリの各電源消費量と、電源残量が例えば５ＷＨであった場合の各種アプリの最大動作可能時間を示す図である。
レコードＲ３１は、テレビアプリの電源消費量と、テレビアプリの最大動作可能時間とを示している。電源監視手段７１は、電源残量と、テレビアプリの電源消費量が１０００ｍＷであることに基づいて、最大動作可能時間を５時間と計算で求める。
レコードＲ３２は、ミュージックアプリの電源消費量と、その最大動作可能時間を示している。電源監視手段７１は、電源残量と、ミュージックアプリの電源消費量が８００ｍＷであることに基づいて、最大動作可能時間を６時間１５分と計算で求める。
レコードＲ３３は、ゲームアプリの電源消費量と、そのアプリの最大動作可能時間を示している。電源監視手段７１は、電源残量と、ゲームアプリの電源消費量が１０００ｍＷであることに基づいて、最大動作可能時間を５時間と計算で求める。
レコードＲ３４は、待ち受け静止時の電話アプリの電源消費量と、そのアプリの最大動作可能時間を示している。電源監視手段７１は、電源残量と、待ち受け静止時の電話アプリの電源消費量が８ｍＷであることに基づいて、最大動作可能時間を６２５時間と計算で求める。
レコードＲ３５は、待ち受け移動時の電話アプリの電源消費量と、そのアプリの最大動作可能時間を示している。電源監視手段７１は、電源残量と、待ち受け移動時の電話アプリの電源消費量が１０ｍＷであることに基づいて、最大動作可能時間を５００時間と計算で求める。
レコードＲ３６は、音声通話時の電話アプリの電源消費量と、そのアプリの最大動作可能時間を示している。電源監視手段７１は、電源残量と、音声通話時の電話アプリの電源消費量が１０００ｍＷであることに基づいて、最大動作可能時間を５時間と計算で求める。
レコードＲ３７は、テレビ通話時の電話アプリの電源消費量と、そのアプリの最大動作可能時間を示している。電源監視手段７１は、電源残量と、テレビ通話時の電話アプリの電源消費量が２０００ｍＷであることに基づいて、最大動作可能時間を２時間３０分と計算で求める。
なお、ここでは、テレビ、ミュージック、ゲーム及び電話の各種機能を動作させるアプリの電源消費量を例として説明したが、これに限定されるものではなく、携帯端末装置に備えられた各種アプリの電源消費量が記憶されていればよい。
【００２８】
なお、また、各種アプリの電源消費量は、予め記憶手段４０に記憶されているだけでなく、通信によって各種アプリの電源消費量を取得して、随時更新することができるようにしてもよい。これにより、例えば、アプリのプログラム修正を行った場合等に、そのアプリの電源消費量を更新することができる。また、新規アプリを携帯電話機１に追加した場合に、そのアプリの電源消費量を追加することができる。
【００２９】
図４（ａ）〜図４（ｉ）は、ユーザがテレビアプリの動作時間を予約設定するときの画面例を示す図である。
【００３０】
図４（ａ）は、所望のアプリの動作時間を予約設定するときの初期画面例である。
【００３１】
初期状態では、以前にアプリ予約設定がなされていないため、予約がない旨の表示が行われる。ここで、新規にアプリ予約設定を行う場合、入力手段１０のうち、「機能」に対応付けられた入力キー（以下、機能キーという）を押下する。
【００３２】
図４（ｂ）は、アプリ予約設定の機能メニューが表示されたときの画面例である。
【００３３】
機能メニューには、アプリ予約設定を新規に登録する「新規登録」と、既に登録されている予約設定を削除する「削除」とが表示されている。ここで、新規にアプリ予約設定を行う場合、「新規登録」を選び、入力手段１０のうち、「選択」に対応付けられた入力キー（以下、選択キーという）を押下する。
【００３４】
図４（ｃ）は、アプリ予約設定の編集画面例である。
【００３５】
編集画面には、例えば、ユーザが編集することができる編集項目として、「アプリ」、「日時」及び「動作予定時間」があり、表示のみ行われる表示項目として、「最大動作可能時間」と「音声通話可能時間」とがあるものとする。ここで、予約設定したい所望のアプリを設定したい場合、「アプリ」を、機能キーを押下する。
【００３６】
図４（ｄ）は、予約設定を行うアプリを設定するときの画面例である。
【００３７】
機能メニューには、携帯電話機１に備えられている各種アプリが列挙されて表示されており、ユーザが予約設定したい所望のアプリを選び、選択キーを押下する。ここで、テレビアプリの予約設定を行う場合、「テレビ」を選び、選択キーを押下することで、テレビアプリが設定される。
【００３８】
図４（ｅ）は、図４（ｄ）において、テレビアプリが予約設定されたときの画面例である。
【００３９】
図４（ｄ）において、予約設定したいアプリが選択されると、編集画面の「アプリ」欄に、選択されたアプリ名が表示される。次に、テレビアプリの視聴予約を行う開始日時を設定する場合、「日時」を選び、機能キーを押下する。
【００４０】
図４（ｆ）は、テレビアプリの視聴予約を行う開始日時を設定するときの画面例である。
【００４１】
機能メニューには、例えば、直接日時を入力するための「直接入力」と、カレンダーから日時を入力する「カレンダー入力」とが表示されているものとする。ここで、「直接入力」を選択キーにて選択し、２００５／０８／０１／２１００と入力することで、テレビアプリの視聴開始日時を２００５年８月１日の２１時に予約設定することができる。
【００４２】
図４（ｇ）は、図４（ｆ）において、視聴開始日時が予約設定されたときの画面例である。
【００４３】
図４（ｆ）において、予約設定されると、編集画面の「日時」欄に、予約設定された日時が表示される。また、ここで、電源監視手段７１は、記憶手段４０に対して、テレビアプリを指定した読出信号を送信し、テレビアプリの電源消費量を読出結果信号として受信する。さらに、電源監視手段７１は、電源制御手段７３に対して、電源残量取得信号を送信し、電源残量情報を電源残量結果信号として受信する。そして、電源監視手段７１は、テレビアプリの電源消費量と、電源残量とに基づいて、テレビアプリの最大動作可能時間を算出し、編集画面の「最大動作可能時間」欄に表示する。ここでは、例えば、電源手段３０の電源残量が５ＷＨであり、テレビアプリの電源消費量が１０００ｍＷであるものとして、「最大動作可能時間」欄に「３００分」と表示されている。
次に、テレビアプリの動作予定時間を設定する場合、「動作予定時間」を選び、選択キーを押下して、所望の時間を入力する。ここでは、例えば、テレビアプリを１８０分視聴したいものとして、１８０と入力する。
【００４４】
図４（ｈ）は、テレビアプリの動作予定時間を設定したときの画面例である。
【００４５】
動作予定時間が設定されると、まず、電源監視手段７１は、記憶手段４０から読み出されたテレビアプリの電源消費量１０００ｍＷと、設定された動作予定時間３Ｈとに基づいて、電源消費予定量３０００ｍＷＨを算出する。そして、電源消費予定量を確保した後の電源残量２０００ｍＷＨと、例えば、音声通話時の電話アプリの電源消費量１０００ｍＷから、音声通話可能時間を算出し、編集画面の「音声通話可能時間」欄に「１２０分」と表示する。
次に、アプリ予約編集を登録確定する場合、入力手段１０のうち、「確定」に対応付けられた入力キーを押下する。
なお、ここでは、テレビアプリの電源消費予定量を確保した後の電源残量から、音声通話可能時間を算出して編集画面に表示するように説明したが、これに限定されるものではなく、待ち受け可能時間、テレビ通話可能時間又はゲーム可能時間等を算出して、編集画面に表示してもよい。
【００４６】
図４（ｉ）は、図４（ｈ）において、アプリ予約編集が確定されたときの画面例である。
【００４７】
アプリ予約編集が確定されると、図４（ａ）に図示した画面に、設定されたアプリ名、日時、動作予定時間が表示され、ユーザがアプリ予約設定の状況を確認することができる。なお、アプリ予約編集が確定されると、電源監視手段７１は、上述の日時、電源消費予定量を記憶するものとする。
【００４８】
図５は、本実施の形態１における携帯電話機１の処理手順を示すフローチャートである。
ここでは、図４（ａ）〜図４（ｉ）に示したテレビアプリの予約設定が行われているものとして説明する。
【００４９】
図５において、電源監視手段７１は、アプリ予約編集が確定されると処理を開始する。
【００５０】
電源監視手段７１は、処理を開始すると、日時取得手段７５に対して、日時取得信号を送信し、現在日時を日時結果信号として受信する（ステップＳ１）。
【００５１】
次に、電源監視手段７１は、日時結果信号に含まれる現在日時が、アプリ予約設定で設定された日時を経過しているか否かを判定する（ステップＳ２）。
【００５２】
現在日時が、アプリ予約設定で設定された日時を経過している場合（ステップＳ２、Ｙｅｓ）、電源監視手段７１は、表示制御手段７２に対して、輝度情報に標準輝度表示を設定した表示信号を送信し、表示手段２０の輝度を標準輝度に設定する（ステップＳ３）。また、電源監視手段７１は、鳴動制御手段７４に対して、再生方式情報にステレオを設定した鳴動信号を送信し、鳴動手段５０の再生方式をステレオに設定する（ステップＳ４）。さらに、電源監視手段７１は、動作制限フラグを０に設定して（ステップＳ５）、処理を終了する。
【００５３】
一方、現在日時が、アプリ予約設定で設定された日時を経過していない場合（ステップＳ２、Ｎｏ）、電源監視手段７１は、電源制御手段７３に対して、電源残量取得信号を送信し、電源手段３０の電源残量情報を電源残量結果信号として受信する（ステップＳ６）。
【００５４】
次に、電源監視手段７１は、アプリ予約設定されたときに記憶されている電源消費予定量が、電源制御手段７３から取得した電源残量のうち、例えば８０％以上であり且つ９５％未満であるか否かを判定する（ステップＳ７）。
【００５５】
アプリ予約設定されたときに記憶されている電源消費予定量が、電源制御手段７３から取得した電源残量のうち、８０％以上であり且つ９５％未満である場合（ステップＳ７、Ｙｅｓ）、電源監視手段７１は、動作制限フラグが０であるか否かを判定する（ステップＳ８）。
【００５６】
動作制限フラグが０である場合（ステップＳ８、Ｙｅｓ）、電源監視手段７１は、表示制御手段７２に対して、輝度情報に低輝度表示を設定した表示信号を送信し、表示手段２０の輝度を低輝度に設定する（ステップＳ９）。また、電源監視手段７１は、鳴動制御手段７４に対して、再生方式情報にモノラルを設定した鳴動信号を送信し、鳴動手段５０の再生方式をモノラルに設定する（ステップＳ１０）。さらに、電源監視手段７１は、動作制限フラグを１に設定して（ステップＳ１１）、再度、日時取得手段７５に対して、日時取得信号を送信し、現在日時を日時結果信号として受信する（ステップＳ１）。上記の低輝度表示及びモノラル再生方式に設定することにより、標準輝度表示及びステレオ再生方式に比べて電源消費を低減することができる。また、動作制限フラグが１である場合は、アプリ起動を行わないようにすることで、電源消費を低減することができる。
【００５７】
一方、動作制限フラグが１である場合（ステップＳ８、Ｎｏ）、表示手段２０、鳴動手段５０及び動作制限フラグの設定を行うことなく、再度、日時取得手段７５に対して、日時取得信号を送信し、現在日時を日時結果信号として受信する（ステップＳ１）。
一方、アプリ予約設定されたときに記憶されている電源消費予定量が、電源制御手段７３から取得した電源残量のうち、８０％以上であり且つ９５％未満でない場合（ステップＳ７、Ｎｏ）、電源消費予定量が、電源残量のうち、９５％以上であるか否かを判定する（ステップＳ１２）。
電源消費予定量が、電源残量のうち、９５％以上である場合（ステップＳ１２、Ｙｅｓ）、電源監視手段７１は、電源制御手段７３に対して、給電停止信号を送信し、電源手段３０の給電を停止して（ステップＳ１３）、処理を終了する。
一方、電源消費予定量が、電源残量のうち、９５％以上でなかった場合（ステップＳ１２、Ｎｏ）、再度、日時取得手段７５に対して、日時取得信号を送信し、現在日時を日時結果信号として受信する（ステップＳ１）。
なお、本実施の形態１では、表示や鳴動の動作及びアプリ起動を制限することによって電源消費を低減させることについて説明したが、これに限定されるものではなく、電源消費を抑えるために制限される動作であればよい。
以上のように本発明の実施の形態１の携帯電話機１によれば、計時手段６０の計時する日時がアプリ予約設定で設定された日時を経過するまで、電源残量のうち、電源消費予定量を確保できるか否かを判定して、表示手段２０の低輝度設定、鳴動手段５０のモノラル設定、又は電源手段３０の給電停止を行うことで、アプリ予約設定で設定された所望のアプリを動作させるために必要な電源残量を予め確保することができる。
（実施の形態２）
本発明の実施の形態２は、通信手段の動作を制限する携帯電話機を例として説明する。
図６は、本発明の実施の形態２における携帯電話機１の詳細構成を示すブロック図である。なお、上記実施の形態１と同様の構成については、同じ参照符号を用い、重複した説明を省略する。
【００５８】
携帯電話機１は、上記実施の形態１の構成に加え、通信手段８０及び通信制御手段７６を有している。
【００５９】
通信手段８０は、外部とネットワーク（図示せず）を介して無線通信を行う。通信手段８０は、制御手段７０から通信停止信号を受信すると、ネットワークとの接続を切断し、制御手段７０から通信再開信号を受信すると、ネットワークとの接続を再開する。
通信制御手段７６は、電源監視手段７１から通信停止信号を受信すると、通信手段８０に対して、通信停止信号を送信し、ネットワークとの接続を切断させる。また、電源監視手段７１から通信再開信号を受信すると、通信手段８０に対して、通信再開信号を送信し、ネットワークとの接続を再開させる。
電源監視手段７１は、上記実施の形態１で説明したアプリの動作が制限されているか否かを示す動作制限フラグの他に、通信動作が停止されているか否かを示す通信動作停止フラグを有している。通信動作停止フラグは、通信動作が停止されているとき、１に設定されており、停止されていないとき、０に設定される。初期状態は、通信動作が停止されていないことを示す０に設定されている。
【００６０】
図７及び図８は、本実施の形態２における携帯電話機１の処理手順を示すフローチャートである。なお、上記実施の形態１と同様の処理については、同じ参照符号を用い、重複した説明を省略する。また、アプリ予約設定は、上記実施の形態１と同様になされているものとする。
【００６１】
図７において、電源監視手段７１は、アプリ予約編集が確定されると処理を開始する。現在日時が、アプリ予約設定で設定された日時を経過している場合（ステップＳ２、Ｙｅｓ）、表示手段２０の標準輝度表示設定（ステップＳ３）、鳴動手段５０のステレオ設定（ステップＳ４）及び動作制限フラグを０に設定する（ステップＳ５）までの処理は、上記実施の形態１と同様に行う。
【００６２】
次に、電源監視手段７１は、通信制御手段７６に対して、通信再開信号を送信し、通信手段８０のネットワーク接続を再開させる（図８、ステップ２０）。そして、電源監視手段７１は、通信動作フラグを０に設定して（ステップＳ２１）、処理を終了する。
一方、現在日時が、アプリ予約設定で設定された日時を経過していない場合（図７、ステップＳ２、Ｎｏ）、電源残量を取得する（ステップＳ５）までの処理を上記実施の形態１と同様に行う。
次に、電源監視手段７１は、アプリ予約設定されたときに記憶されている電源消費予定量が、電源制御手段７３から取得した電源残量のうち、例えば８０％以上であり且つ９０％未満であるか否かを判定する（ステップＳ２２）。
アプリ予約設定されたときに記憶されている電源消費予定量が、電源制御手段７３から取得した電源残量のうち、８０％以上であり且つ９０％未満である場合（ステップＳ２２、Ｙｅｓ）、電源監視手段７１は、上記実施の形態１のステップＳ７〜Ｓ１１と同様の処理を行い、再度、日時取得手段７５に対して、日時取得信号を送信し、現在日時を日時結果信号として受信する（ステップＳ１）。
一方、アプリ予約設定されたときに記憶されている電源消費予定量が、電源制御手段７３から取得した電源残量のうち、８０％以上であり且つ９０％未満でない場合（ステップＳ２２、Ｎｏ）、電源消費予定量が、電源残量のうち、９０％以上であり且つ９５％未満であるか判定する（図８、ステップＳ２３）。
電源消費予定量が、電源残量のうち、９０％以上であり且つ９５％未満である場合（ステップＳ２３、Ｙｅｓ）、電源監視手段７１は、通信動作停止フラグが０であるか否かを判定する（ステップＳ２４）。
通信動作停止フラグが０である場合（ステップＳ２４、Ｙｅｓ）、電源監視手段７１は、通信制御手段７６に対して、通信手段８０のネットワーク接続を切断するため、通信停止信号を送信する（ステップＳ２５）。また、電源監視手段７１は、通信動作停止フラグを１に設定して（ステップＳ２６）、再度、日時取得手段７５に対して、日時取得信号を送信し、現在日時を日時結果信号として受信する（ステップＳ１）。通信手段８０のネットワーク接続を切断することにより、例えば、音声着信やメール着信によって電源消費されることを防止し、所望のアプリを動作させるために必要な電源残量を確保することができる。
【００６３】
一方、通信動作停止フラグが１である場合（ステップＳ２４、Ｎｏ）、通信手段８０及び通信動作停止フラグの設定を行うことなく、再度、日時取得手段７５に対して、日時取得信号を送信し、現在日時を日時結果信号として受信する（ステップＳ１）。
一方、アプリ予約設定されたときに記憶されている電源消費予定量が、電源制御手段７３から取得した電源残量のうち、９０％以上であり且つ９５％未満でない場合（ステップＳ２３、Ｎｏ）、上記実施の形態１のステップＳ１２及びＳ１３と同様の処理を行い、処理を終了する。
以上のように本発明の実施の形態２の携帯電話機１によれば、計時手段６０がアプリ予約設定で設定された日時を経過するまで、電源消費予定量と電源残量とに基づいて、表示手段２０の低輝度設定、鳴動手段５０のモノラル設定等に加えて、通信手段８０の通信制御を行うことで、例えば、音声着信やメール着信による電源消費を抑止することができ、アプリ予約設定で設定された所望のアプリを動作させるために必要な電源残量を確保することができる。
【００６４】
なお、上記各実施の形態では、電源手段３０から取得する電源残量のうち、アプリ予約設定されたときに記憶されている電源消費予定量の占める割合によって、段階的にアプリの動作を制限するように説明したが、これに限定されるものではなく、一定の割合で同時にアプリの動作を制限したり、又は段階をさらに細分化してアプリの動作を制限したりするようにしてもよい。
なお、また、上記各実施の形態では、電源手段３０から取得する電源残量のうち、アプリ予約設定されたときに記憶されている電源消費予定量の占める割合によって、強制的にアプリの動作を制限するように説明したが、これに限定されるものではなく、ユーザにアプリの動作を制限するか否かを選択させるようにしてもよい。
【００６５】
なお、また、上記各実施の形態では、アプリ予約設定時に、記憶手段４０に記憶された所望のアプリの電源消費量と、電源手段３０の電源残量とに基づいて、所望のアプリの最大動作可能時間を算出し、編集画面の「最大動作可能時間」欄に表示するよう説明した。しかしながら、これに限定されるものではなく、現在日時からユーザによって設定された予約設定の開始日時まで、待ち受け静止時の電話アプリを動作させた場合の電源消費予定量を電源残量から予め確保しておいた後、所望のアプリの電源消費量に基づいて最大動作可能時間を算出して、「最大動作可能時間」欄に表示するようにしてもよい。
【産業上の利用可能性】
【００６６】
以上のように、本発明にかかる携帯端末装置及び情報処理方法は、所望のアプリを動作させるために必要な電源残量を予め確保しておくことができるという効果を有し、近年、音楽再生やテレビ受信等、長時間動作することが要求されるアプリを備えた携帯電話機等として有用である。
【図面の簡単な説明】
【００６７】
【図１】本発明の実施の形態１における携帯電話機の詳細構成を示すブロック図
【図２】本発明の実施の形態１における携帯電話機の概略構成を示すブロック図
【図３】本発明の実施の形態１及び実施の形態２における携帯電話機に記憶されたアプリケーションの各電源消費量の一例を示す図
【図４】本発明の実施の形態１及び実施の形態２においてアプリケーションの予約設定を行うときの画面例を示す図
【図５】本発明の実施の形態１における携帯電話機の処理手順を示すフローチャート
【図６】本発明の実施の形態２における携帯電話機の詳細構成を示すブロック図
【図７】本発明の実施の形態２における携帯電話機の処理手順を示すフローチャート
【図８】本発明の実施の形態２における携帯電話機の処理手順を示すフローチャート
【符号の説明】
【００６８】
１  携帯電話機
１０  入力手段
２０  表示手段
３０  電源手段
４０  記憶手段
５０  通信手段
６０  計時手段
７０  制御手段
７１  電源監視手段
７２  表示制御手段
７３  電源制御手段
７４  通信制御手段
７５  日時取得手段
７６  通信制御手段
８０  通信手段
Ｒ３１、Ｒ３２、Ｒ３３、Ｒ３４、Ｒ３５、Ｒ３６、Ｒ３７  レコード
【図１】
2007058262.tif 000003
【図２】
2007058262.tif 000004
【図３】
2007058262.tif 000005
【図４】
2007058262.tif 000006
【図５】
2007058262.tif 000007
【図６】
2007058262.tif 000008
【図７】
2007058262.tif 000009
【図８】
2007058262.tif 000010